(57)【要約】【課題】カマを有する引戸錠が半施錠の状態で勢い良く引戸を閉めても引戸錠が施錠しないようにする。【解決手段】トロヨケ５内のカマ先３と対向する端部に、上下方向に移動可能に案内されたほぼ水平な棚板８を設け、この棚板をカマの振り入れ方向とは逆方向に付勢すると共に、カマ先と干渉しない常態において、ストライク開口６から露呈しないようにする。【選択図】  図２
2004360350.tif 000002
【特許請求の範囲】
【請求項１】
引戸の戸先に埋設された引戸錠の、鉤形のカマが振り入れられるストライク開口を形成したストライク板と、一面が開口した箱状のトロヨケとを有し、このトロヨケ内のカマ先と対向する端部に、上下方向に移動可能に案内されたほぼ水平な棚板を設け、この棚板をカマの振り入れ方向とは逆方向に付勢すると共に、カマ先と干渉しない常態において、ストライク開口から露呈しないようにしたことを特徴とする引戸錠のストライク。
【発明の詳細な説明】
【０００１】
【発明が属する技術分野】
この発明は、引戸錠のストライク（以下単にストライクという）に係り、特に、半施錠の状態で勢い良く引戸を閉めても引戸錠が施錠しないようにしたストライクに関する。
【０００２】
【従来の技術】
引戸錠には引き違いになる一方の引戸の框から他方の框に施錠部材を振り入れる形式もあるが、この発明が適用される引戸錠及びストライクの相対位置関係は図１に示すようになっている。
【０００３】
すなわち、図１において符号１は引戸２の戸先に埋設された引戸錠のフロント板を示し、この引戸錠には、例えばカマ中心３ａを回転中心として次に述べるストライクに振り入れられる鉤形のカマ３を備えている。
【０００４】
このカマ３は、図示しないカマ駆動機構を介して、引戸の外面に装着されたシリンダ錠の内筒、或いは引戸の内面に装着されたサムターンに連結されている。
【０００５】
一方、閉扉時引戸の戸先端縁と接合する戸枠にはストライク板４が装着されており、このストライク板４は、通常、一面が開いた箱状のトロヨケ５のフランジ５ａと共に、間にサッシの戸枠の図示しない表面板を挟み付ける態様で、付番しない戸枠にねじ止めされる。
【０００６】
【発明が解決しようとする課題】
上記のように構成された引戸錠は、図示しないシリンダ錠、或いはサムターンを操作することにより、カマ操作機構を介してカマ３をストライク開口６に振り入れて施錠し、或いはストライク開口から回し抜いて解錠する。
【０００７】
ところで、シリンダ錠或いはサムターンの操作角度を所定値に保って施解錠すれば問題は無いのだが、例えば施錠されていた引戸錠を解錠して外出するとき、図１に鎖線で示すように、カマ３を完全に解錠角度位置に戻さないがストライク開口６の開口とは干渉しない角度位置にして引戸を開けると、その侭引戸を開けることができる。
【０００８】
このようにして引戸錠を半施錠（或いは半解錠）の状態にして再び引戸を勢い良く閉めると、引戸と戸枠の衝突により、カマ及びこれに連係されたカマ操作機構が慣性によって施錠方向に駆動されて引戸が施錠される結果、鍵を持たないで引戸を閉めた場合締め出されてしまうという不都合があった。
【０００９】
そこで、この発明は、引戸錠を半施錠或いは半解錠の状態で勢い良く引戸を閉めても引戸錠が施錠されない引戸錠のストライクを提供し、以て上記した不都合を解消することを目的としている。
【００１０】
【課題を解決するための手段】
上記の目的を達成するため、この発明は、引戸の戸先に埋設された引戸錠の、鉤形のカマが振り入れられるストライク開口を形成したストライク板と、一面が開口した箱状のトロヨケとを有し、このトロヨケ内のカマ先と対向する端部に、上下方向に移動可能に案内されたほぼ水平な棚板を設け、この棚板をカマの振り入れ方向とは逆方向に付勢すると共に、カマ先と干渉しない常態において、ストライク開口から露呈しないようにしたことを特徴とする。
【００１１】
【実施例】
以下、図２及び図３を参照してこの発明の一実施例を説明する。
これらの図において符号７はスライダを示し、このスライダ７は細長い板材を略Ｌ字形に折り曲げ、ほぼ水平な棚板８とトロヨケ５の背板内面と摺接する第１案内片９とを形成し、更に、棚板８の端縁を直角に折り曲げて前記戸枠の図示しない表面板裏面と摺接する第２案内片１１とを形成したものである。
【００１２】
上記第１案内片９には、その長さ方向に沿って案内長孔１２（図３参照）が開口しており、この案内長孔１２には、トロヨケの背板にかしめられたフランジ付のガイドピン１３が摺接可能に係合している。
【００１３】
また、図３に示すように、スライダ７の幅はトロヨケ５の幅方向の内法寸法よりやや小さく設定されている。
【００１４】
上記した構成により、スライダ７の一部としての棚板８はトロヨケ５及び戸枠の表面板により、上下方向に移動可能に案内されている。
【００１５】
また、図２及び図３から明らかなように、棚板８はカマ３の先端に対向する端部（図では上端部）に配設されている。
【００１６】
一方、上記棚板８を下方に、すなわちカマ３の振り入れ方向とは逆方向に付勢するため、棚板とトロヨケ５の天井板との間に例えば圧縮コイルばねなどの戻しばね１４が弾装されている。
【００１７】
そして、この戻しばね１４が水平方向にずれることを防止するため、トロヨケ５の天井板下面にはばね受けピン１５が例えばかしめにより突設され、戻しばね１４は、その上端部をばね受けピン１５と係合させるようにして、トロヨケの天井板と棚板８との間に弾装されている。
【００１８】
また、図３に示すようにカマ先と干渉しない常態、換言すればスライダ７が戻しばね１４の弾力によりトロヨケ内で最下端の位置にあるとき、棚板８がストライク開口６の上方の開口端縁の位置１６（図３参照）より上にあり、棚板８がストライク開口６内に露呈しないようにその位置が設定されているものとする。
【００１９】
更にまた、戻しばね１４の弾力を、戸枠と引戸との衝突によるカマ３及びその操作機構の慣性力より大きく設定し、衝突により施錠が完了しないようになっている。
【００２０】
とは言っても、人の手指による操作力は上記慣性力より十分大きいから、合鍵によるシリンダ錠の操作、或いは室内側のサムターンの操作による施錠は戻しばね１４の存在にも拘わらず従来の引戸錠と同様に容易である。
【００２１】
上記のように構成されたこの発明の一実施例によるストライクは、引戸錠の通常の施解錠操作、すなわち、シリンダ錠の合鍵或いは室内側のサムターンを所定の角度回す施解錠操作では従来のストライクとほぼ同様に機能する。
【００２２】
すなわち、図２に実線で示すように、施錠時には戻しばね１４を押し縮めつつカマ先でスライダ７を上昇させてカマ３がストライク板４と係合する。
【００２３】
このときには、戻しばね１４を押し縮めるに要する力はそんなには大きくないので、人の手指で感じる反力は殆ど気にならない程度である。
【００２４】
解錠するときには、押し縮められた戻しばね１４が復元するときの弾力が手指の操作力に加わるが、その弾力は手指の操作力と比較して小さいので、操作感は従来のものと殆ど変らない。
【００２５】
一方、図２に鎖線で示すようにカマを半解錠或いは半施錠の角度位置にしたままで引戸を勢いよく閉じたときには、前記したようにカマ及びカマ操作機構が慣性により施錠方向に動くが、その慣性力はカマ先及び棚板８を介して戻しばね１４を押し縮めるときに弾性エネルギーとして戻しばね１４に吸収される。
【００２６】
そして、通常は押し縮められた戻しばね１４が復元して、カマ３を図２において鎖線で示す角度位置にまで戻す。
【００２７】
【発明の効果】
以上の説明から明らかなように、この発明は、トロヨケ内のカマ先と対向する端部に、上下方向に移動可能に案内されたほぼ水平な棚板を設け、この棚板をカマの振り入れ方向とは逆方向に付勢すると共に、カマ先と干渉しない常態において、ストライク開口から露呈しないようにしたから、カマを半施錠の角度位置に置いた侭引戸を勢い良く閉めても、慣性力によるカマの施錠方向の移動は棚板の付勢力によって阻止され、誤施錠を有効に防ぐことができる。
【００２８】
その結果、半施錠の状態で引戸を開け閉めしても誤施錠の心配が無くなるので、引戸錠の使い勝手が向上する、等種々の効果を奏する。
【図面の簡単な説明】
【図１】従来の引戸錠のストライクの断面図。
【図２】この発明の一実施例による引戸のストライクの断面図で、戻しばねが押し縮められた状態を示す。
【図３】この発明の一実施例による引戸のストライクの断面図で、戻しばねに外力が作用しない常態を示す。
【符号の説明】
１  フロント板
２  引戸
３  カマ
４  ストライク板
５  トロヨケ
６  ストライク開口
７  スライダ
８  棚板
９  第１案内片
１１  第１案内片
１２  案内長孔
１３  ガイドピン
１４  戻しばね
１５  ばね受けピン
【図１】
2004360350.tif 000003
【図２】
2004360350.tif 000004
【図３】
2004360350.tif 000005